(57)【要約】【課題】体毛を快適かつ効果的に剃ることができるようにする。【解決手段】内刃１３と外刃１５とをそれぞれ備える一対の刃ユニット１７相互間にローラ３１を配置する。ローラ３１は、ローラ支持ブラケット３３及びスプリング３７を介して刃ヘッドハウジング７の中心ボス部１１に弾性支持されている。外刃１５は、内刃１３を外刃１５の内面に押し付けるスプリング２３によって前方へ押し付けられている。ヒゲ剃り時に、外刃１５を肌表面４１に押し付ける際に、ローラ３１も肌表面４１に押し付けられ、肌表面４１に沿って刃ヘッド３を移動させると、ローラ３１が肌表面４１に接触しつつ回転して外刃１５の肌表面４１に対する摩擦力を低減する。【選択図】図１
2009232894.tif 000002
【特許請求の範囲】
【請求項１】
外刃と、この外刃に対しその内側に位置して往復移動することで外刃と協働して体毛を剃る内刃とを備える刃ユニットを  かみそり器本体に設け、このかみそり器本体に、前記体毛を有する肌表面に接触しつつ回転可能な回転体を、弾性体を介して弾性支持させたことを特徴とするかみそり器。
【請求項２】
前記刃ユニットを、刃ユニット用弾性体を介して前記かみそり器本体に弾性支持させ、この刃ユニット先端の前記外刃及び前記回転体を前記肌表面にそれぞれ接触させて押し付けたときの、前記刃ユニット用弾性体による押し付け力と前記回転体用の弾性体による押し付け力とを互いに異ならせたことを特徴とする請求項１に記載のかみそり器。
【請求項３】
前記回転体用の弾性体による押し付け力を、前記刃ユニット用弾性体による押し付け力より強くしたことを特徴とする請求項２に記載のかみそり器。
【請求項４】
前記回転体用の弾性体の押し付け力を、前記刃ユニット用弾性体の押し付け力より弱くしたことを特徴とする請求項２に記載のかみそり器。
【請求項５】
前記刃ユニットを、刃ユニット用弾性体を介して前記かみそり器本体に弾性支持させ、この刃ユニット先端の前記外刃及び前記回転体を前記肌表面にそれぞれ接触させて押し付けたときの前記刃ユニット及び前記回転体の後退移動を規制する規制部をそれぞれ設け、この各規制部により規制される前記刃ユニット及び前記回転体の各後退移動量を互いに異ならせたことを特徴とする請求項１に記載のかみそり器。
【請求項６】
前記回転体の後退移動量を、前記刃ユニットの後退移動量より少なくしたことを特徴とする請求項５に記載のかみそり器。
【請求項７】
前記回転体の後退移動量を、前記刃ユニットの後退移動量より多くしたことを特徴とする請求項５に記載のかみそり器。
【請求項８】
前記刃ユニットを複数設け、これら複数の刃ユニット相互間に前記回転体を配置したことを特徴とする請求項１ないし７のいずれか1項に記載のかみそり器。
【発明の詳細な説明】
【技術分野】
【０００１】
本発明は、外刃と、この外刃の内側にて往復移動することで外刃と協働して体毛を剃る内刃とを備えるかみそり器に関する。
【背景技術】
【０００２】
電気かみそり器は、通常網状の外刃と、外刃の内側に位置してその内面に沿って往復移動する内刃とを備え、外刃の多数の小孔にヒゲを入り込ませた状態で内刃が往復移動することでヒゲを剃ることができる（例えば下記特許文献１参照）。
【特許文献１】特表２０００−５１３９７６号公報
【発明の開示】
【発明が解決しようとする課題】
【０００３】
ところで、上記したような電気カミソリ器でヒゲを剃るときに、外刃及び内刃を備えた刃ヘッドを肌表面に押し当てながら移動させる必要があるが、深剃りしようとして刃ヘッドを肌表面に強く押し当て過ぎたり、発汗により肌表面が湿っていたりすると、刃ヘッドと肌表面との間の摩擦力（刃ヘッドを構成している外刃表面が肌表面に及ぼす摩擦力）が大きくなる場合がある。
【０００４】
この摩擦力によって肌が引っ張られ、剃り心地（スムース感やスピード゛感）を悪化させるとともに、外刃が肌表面に引っかかって常に密着した状態で移動させることができず、一時的に外刃が肌表面から離れることによって、ヒゲが外刃の孔に導入される機会が減少してカットチャンスが減少し、剃り残しが増加してしまい、充分なヒゲ剃り効果を得ることができないものとなる。
【０００５】
そこで本発明は、体毛を快適かつ効果的に剃ることができるようにすることを目的としている。
【課題を解決するための手段】
【０００６】
請求項１の発明は、外刃と、この外刃に対しその内側に位置して往復移動することで外刃と協働して体毛を剃る内刃とを備える刃ユニットを  かみそり器本体に設け、このかみそり器本体に、前記体毛を有する肌表面に接触しつつ回転可能な回転体を、弾性体を介して弾性支持させたことを特徴とする。
【０００７】
請求項２の発明は、請求項１に記載のかみそり器であって、前記刃ユニットを、刃ユニット用弾性体を介して前記かみそり器本体に弾性支持させ、この刃ユニット先端の前記外刃及び前記回転体を前記肌表面にそれぞれ接触させて押し付けたときの、前記刃ユニット用弾性体による押し付け力と前記回転体用の弾性体による押し付け力とを互いに異ならせたことを特徴とする。
【０００８】
請求項３の発明は、請求項２に記載のかみそり器であって、前記回転体用の弾性体による押し付け力を、前記刃ユニット用弾性体による押し付け力より強くしたことを特徴とする。
【０００９】
請求項４の発明は、請求項２に記載のかみそり器であって、前記回転体用の弾性体の押し付け力を、前記刃ユニット用弾性体の押し付け力より弱くしたことを特徴とする。
【００１０】
請求項５の発明は、請求項１に記載のかみそり器であって、前記刃ユニットを、刃ユニット用弾性体を介して前記かみそり器本体に弾性支持させ、この刃ユニット先端の前記外刃及び前記回転体を前記肌表面にそれぞれ接触させて押し付けたときの前記刃ユニット及び前記回転体の後退移動を規制する規制部をそれぞれ設け、この各規制部により規制される前記刃ユニット及び前記回転体の各後退移動量を互いに異ならせたことを特徴とする。
【００１１】
請求項６の発明は、請求項５に記載のかみそり器であって、前記回転体の後退移動量を、前記刃ユニットの後退移動量より少なくしたことを特徴とする。
【００１２】
請求項７の発明は、請求項５に記載のかみそり器であって、前記回転体の後退移動量を、前記刃ユニットの後退移動量より多くしたことを特徴とする。
【００１３】
請求項８の発明は、請求項１ないし７のいずれか1項に記載のかみそり器であって、前記刃ユニットを複数設け、これら複数の刃ユニット相互間に前記回転体を配置したことを特徴とする。
【発明の効果】
【００１４】
請求項１の発明によれば、外刃を肌に押し当てながら移動させる際に、回転体が弾性体により肌に押し付けられて回転しながら移動するので、外刃を肌表面に沿って移動させる際の摩擦力を減少させることができ、体毛を快適かつ効果的に剃ることができる。
【００１５】
請求項２の発明によれば、回転体用の弾性体による押し付け力を刃ユニット用弾性体による押し付け力より強くすることで、外刃の肌表面への押し付け力の過大化を抑え、逆に刃ユニット用弾性体による押し付け力を回転体用の弾性体による押し付け力より強くすることで、外刃が肌表面により密着して深剃りに有効となる。
【００１６】
請求項３の発明によれば、外刃が刃ユニット用弾性体の弾力に抗して回転体よりも容易に後退するので、外刃の肌表面への押し付け力の過大化を回転体によって抑えることができる。
【００１７】
請求項４の発明によれば、回転体が弾性体の弾力に抗して容易に後退するので、外刃の肌表面への押し付け力が高まり、深剃りに有効となる。
【００１８】
請求項５の発明によれば、回転体の後退移動量を刃ユニットの後退移動量より少なくすることで、回転体が先に対応する規制部に当接して後退移動が規制され外刃の肌表面への押し付け力の過大化を抑え、逆に回転体の後退移動量を刃ユニットの後退移動量より多くすることで、刃ユニットが先に対応する規制部に当接して後退移動が規制され、外刃が肌表面により密着して深剃りに有効となる。
【００１９】
請求項６の発明によれば、回転体が刃ユニットよりも先に対応する規制部に当接するので、外刃の肌表面への押し付け力の過大化を回転体によって抑えることができる。
【００２０】
請求項７の発明によれば、刃ユニットが回転体よりも先に対応する規制部に当接するので、外刃の肌表面への押し付け力が高まり、深剃りに有効となる。
【００２１】
請求項８の発明によれば、複数の刃ユニットの外刃を肌表面に接触させたときに、この接触させた状態の刃ユニット相互間の回転体を肌表面に確実に接触させることができる。
【発明を実施するための最良の形態】
【００２２】
以下、本発明の実施の形態を図面に基づき説明する。
【００２３】
図１は、本発明の第１の実施形態を示すかみそり器として電気かみそり器（シェーバ）１の刃ヘッド３側を断面として示す側面図である。この電気かみそり器１は、グリップ部５の先端側に上記した刃ヘッド３を備えている。
【００２４】
刃ヘッド３は、かみそり器本体としての刃ヘッドハウジング７を備え、刃ヘッドハウジング７は、外カバー９と中心ボス部１１とを備えている。外カバー９と中心ボス部１１との間の２箇所の領域には、内刃１３とその外側に位置する外刃１５とを有する一対の刃ユニット１７をそれぞれ収容配置している。
【００２５】
内刃１３は内刃カセット１４に下端が支持され、内刃カセット１４は、図示しないモータなどを備える振動源に下部が連結される駆動軸１９に、連結ロッド２１を介して連結される。上記した振動源は、かみそり器本体側に取り付けられて、駆動軸１９，連結ロッド２１及び内刃カセット１４を介して内刃１３を、図１中で紙面に直交する方向に振動させる。
【００２６】
また、駆動軸１９と内刃１３との間には、内刃１３を外刃１５の内面に押し付ける刃ユニット用弾性体としてのスプリング２３を介装してあり、この際内刃カセット１４は連結ロッド２１に対して図1中で上下方向に移動可能であり、下方への移動は、駆動軸１９上に設けてある規制部としてのストッパ部２０に内刃カセット１４の下端が当接することで規制される。すなわち内刃カセット１４とストッパ部２０との間に間隙２４を設けてあり、内刃１３はこの間隙２４の寸法Ａの範囲で後退移動可能である。
【００２７】
外刃１５は、直径数百μｍ程度の無数の孔を有する網状であり、この外刃１５の内側に前記した内刃１３を配置してあり、この内刃１３が、駆動軸１９により、外刃１５の長手方向（図１中で紙面に直交する方向）に沿って往復移動するように振動することで、外刃１５の孔に体毛である例えばヒゲを入り込ませることで外刃１５と協働してヒゲを剃ることになる。
【００２８】
上記した外刃１５は、断面Ｕ字形状を呈し、その基端側（図１中で下端側）が外刃カセット２５に保持されている。外刃カセット２５の端部外側には係止突部２６を設け、係止突部２６は、外カバー９の内面及び中心ボス部１１の側面にそれぞれ設けてある係止部２７，２９に対してグリップ部５側に位置し、かつ係止突部２６と係止部２７，２９の各端面が図１中で左右方向に互いにオーバラップしている。
【００２９】
すなわち、前記したスプリング２３が、内刃カセット１４を介して内刃１３を外刃１５の内面に向けて押し付けたときに、係止突部２６が係止部２７，２９に係止され、これにより外刃１５を保持している外刃カセット２５は、図１中で上方への抜け止めがなされる。
【００３０】
中心ボス部１１の上記した係止部２９を備えた部位近傍の先端には、回転体としてのローラ３１を設けている。ローラ３１は、ローラ支持ブラケット３３の先端に図１中で紙面に直交する方向が軸心となる回転支持軸３５に回転可能に設けてある。
【００３１】
ローラ支持ブラケット３３は、中心ボス部１１に形成してある空間１１ａ内に基端側を移動可能に挿入し、先端側を中心ボス部１１の先端に形成してある開口部１１ｂから外部に突出させている。またローラ支持ブラケット３３は、空間１１ａ内に大径部３３ａを備え、大径部３３ａと空間１１ａの底部１１ｃとの間に、ローラ支持ブラケット３３を図１中で上部側の先端側に押し付けるスプリング３７を収容している。
【００３２】
すなわち、ローラ３１は、回転体用の弾性体であるスプリング３７を介してかみそり器本体の一部である中心ボス部１１に弾性支持されていることになる。
【００３３】
また、ローラ支持ブラケット３３は、その基端部と空間１１ａの規制部となる底部１１ｃとの間に間隙３８を設けてあり、この間隙３８の寸法Ｂの範囲で後退移動可能である。
【００３４】
なお、図１の状態では、外刃１５の先端面よりもローラ３１の先端面を前方（図１中で上方）に突出させているものとする。
【００３５】
以上の構成による電気かみそり器は、グリップ部５に設けてある図示しないスイッチの投入により、駆動軸１９が駆動されることによって内刃１３が図１中で紙面に直交する方向に振動し、前記したように外刃１５と協働して体毛であるヒゲ３９を剃ることになる。
【００３６】
ここで、本実施形態では、ヒゲ３９を剃る際に、刃ヘッド３の先端、つまり外刃１５の先端面をヒゲ３９の生えている肌表面４１に押し当てることになるが、その際、ローラ３１もやや先行して肌表面４１に接触するが同様にして押し当てることになる。そして、この押し当てた状態で、肌表面４１に沿って図１中で左もしくは右に向けて移動させると、上記のヒゲ剃り作業がなされると同時にローラ３１が肌表面４１に接触しながら回転することになる。
【００３７】
このように本実施形態では、ローラ３１が肌表面４１に押し付けられながら回転するので、外刃１５を肌表面４１に沿って移動させる際の摩擦力を減少させることができ、ヒゲ３９を快適かつ効果的に剃ることができる。また、刃ヘッド３を肌表面４１に押し付ける際に、ローラ３１が外刃１５よりも先に肌表面４１に接触するので、ローラ３１が肌表面４１に確実に接触し、ローラ３１の回転動作が有効になされる。
【００３８】
また、上記実施形態では、刃ユニット１７先端の外刃１５及びローラ３１を肌表面４１にそれぞれ接触させて押し付けたときの、刃ユニット用弾性体である２つのスプリング２３による押し付け力とローラ３１用のスプリング３７による押し付け力とを互いに異ならせることで、ローラ３１を肌表面４１に強く押し付けて肌表面４１を外刃１５から保護するか、あるいは外刃１５をより強く肌表面４１に押し付けて深剃りを行うかの機能を持たせることができる。
【００３９】
例えば、ローラ３１用のスプリング３７による押し付け力を、２つのスプリング２３による押し付け力より強くすることで、刃ヘッド３を肌表面４１に押し付けてヒゲ剃りを行っているときに、肌表面４１への押し付け力は、ローラ３１によるほうが外刃１５よりも強くなる。したがって、この場合には、外刃１５を肌表面４１に強く押し付けすぎることを、ローラ３１により抑えて肌表面４１を保護することができる。
【００４０】
逆に、外刃１５を押し付ける２本のスプリング２３による押し付け力を、ローラ３１用のスプリング３７による押し付け力より強くすると、刃ヘッド３を肌表面４１に押し付けてヒゲ剃りを行っているときに、肌表面４１への押し付け力は、外刃１５によるほうがローラ３１よりも強くなる。したがって、この場合には、外刃１５をより強く肌表面４１に押し付けて密着させることで、ヒゲ３９を外刃１５の孔により深く入り込ませることになり、深剃り効果に有効である。
【００４１】
このように、刃ユニット１７先端の外刃１５及びローラ３１を肌表面４１にそれぞれ接触させて押し付けたときの、外刃１５用の２つのスプリング２３とローラ３１用のスプリング３７によるそれぞれの押し付け力を互いに異ならせるには、２つのスプリング２３の弾力（弾性係数）の総和とスプリング３７の弾力（弾性係数）を互いに異ならせることで対応できる。
【００４２】
この各スプリングの弾力を異ならせる手法は、外刃１５の先端面とローラ３１の先端面とをほぼ同一面とした場合に主として適用されるが、図１の例のように、外刃１５の先端面よりもローラ３１の先端面を前方に突出させた場合でも適用できる。
【００４３】
なお、図１の例のように、外刃１５の先端面よりもローラ３１の先端面を前方に突出させた場合には、２つのスプリング２３の弾力（弾性係数）の総和とスプリング３７の弾力（弾性係数）を同等としてもよい。同等としても、ローラ３１が外刃１５よりも先に肌表面４１に接触するので、ローラ３１用のスプリング３７は、圧縮量が外刃１５側のスプリング２３よりも多くなり、反力も大きくなって押し付け力も強くなる。
【００４４】
このように、本実施形態では、外刃１５及びローラ３１を肌表面４１にそれぞれ接触させて押し付けたときの、外刃１５用の２つのスプリング２３とローラ３１用のスプリング３７による肌表面４１に対する押し付け力を互いに異ならせることで、肌保護重視かあるいは深剃り重視かのいずれかを望むユーザのニーズに合わせることができる。
【００４５】
また、図１の実施形態では、内刃カセット１４と規制部となるストッパ部２０との間隙２４の寸法Ａと、ローラ支持ブラケット３３と空間１１ａの規制部となる底部１１ｃとの間隙３８の寸法Ｂとを、互いに異ならせることでも、肌保護重視かあるいは深剃り重視かを選択することができる。
【００４６】
例えば、間隙２４の寸法Ａを間隙３８の寸法Ｂよりも大きくすることで、刃ヘッド３を肌表面４１に押し付けていったときに、ローラ支持ブラケット３３が先に底部１１ｃに当接して後退移動が規制され、このとき外刃１５はまだ後退可能であるので、外刃１５による肌表面４１への押し付けすぎを防止し、肌表面４１を保護することができる。
【００４７】
逆に、間隙２４の寸法Ａを間隙３８の寸法Ｂよりも小さくすることで、刃ヘッド３を肌表面４１に押し付けていったときに、内刃カセット１４が先にストッパ部２０に当接して後退移動が規制され、このときローラ３１はまだ後退可能であるので、外刃１５をより強く肌表面４１に押し付けて密着させることで、ヒゲ３９を外刃１５の孔により深く入り込ませることができ、深剃り効果に有効となる。
【００４８】
なお、上記した間隙２４の寸法Ａと間隙３８の寸法Ｂを適宜変える際には、外刃１５用の２つのスプリング２３とローラ３１用のスプリング３７のそれぞれの弾力(弾性係数)は、互いに同等であることが望ましいが、異なっていても構わない。
【００４９】
図２は、本発明の第２の実施形態を示す電気かみそり器１の刃ヘッド３の断面図である。この実施形態は、前記図１の実施形態に対し、外刃カセット２５を図２中で下方に延長して内刃１３の全体を内包する形状とし、その先端に内側に向けて突出するスプリング受け部４３を設けている。
【００５０】
スプリング受け部４３と刃ヘッドハウジング７側の底板４５との間には、刃ユニット用弾性体としてのスプリング４７を介装し、外刃１５を先端側に押し付けている。刃ヘッドハウジング７側の底板４５には貫通孔４５ａが形成され、この貫通孔４５ａに駆動軸１９が挿入され、駆動軸１９の基端部が図示しない振動源に連結されている。このような刃ヘッドハウジング７側の底板４５と駆動軸１９との関係は、図１では図示していないが、上記説明した図２と同様の構成となっている。
【００５１】
また、スプリング受け部４３と内刃カセット１４との間には、内刃１３を外刃１５の内面に押し付けて密着させる内刃スプリング４９を設けている。
【００５２】
その他、ローラ３１や、ローラ３１を弾性支持するスプリング３７など、刃ユニット１７相互間に設けてある構造については、第１の実施形態と同様である。
【００５３】
本実施形態では、外刃１５を肌表面４１に押し付けて内刃１３及び内刃スプリング４９とともに後退させるときには、スプリング４７が圧縮されるので、このスプリング４７が、図１のスプリング２３と同様に刃ユニット用弾性体を構成することになる。
【００５４】
したがって、本実施形態においても、ローラ３１が肌表面４１に押し付けられながら回転するので、外刃１５を肌表面４１に沿って移動させる際の摩擦力を減少させることができ、ヒゲ３９を快適かつ効果的に剃ることができるなど、第１の実施形態と同様の効果を得ることができる。
【００５５】
また、本実施形態においても、刃ユニット１７先端の外刃１５及びローラ３１を肌表面４１にそれぞれ接触させて押し付けたときの、刃ユニット用弾性体である２つのスプリング４７による押し付け力とローラ３１用のスプリング３７による押し付け力とを互いに異ならせることで、ローラ３１を肌表面４１に強く押し付けて肌表面４１を外刃１５から保護するか、あるいは外刃１５をより強く肌表面４１に押し付けて深剃りを行うかの機能を持たせることができる。
【００５６】
なお、本実施形態では、底板４５の貫通孔４５ａ周縁から内刃カセット１４側に突出させて立ち上げ部４５ｂを設け、この立ち上げ部４５ｂとスプリング受け部４３との間に、前記図１に示した間隙２４に相当する間隙５１を設けており、この間隙５１を寸法Ｃとしている。
【００５７】
すなわち、本実施形態においても、間隙５１の寸法Ｃと間隙３８の寸法Ｂとの関係を、前記図１に示した第１の実施形態の間隙２４の寸法Ａと間隙３８の寸法Ｂとの関係と同様に、互いに異ならせることで、肌保護重視かあるいは深剃り重視かを選択することができる。
【００５８】
図３は、本発明の第３の実施形態を示す電気かみそり器１の刃ヘッド３の断面図である。この実施形態は、前記図１の実施形態に対し、ローラ３１や、ローラ３１を弾性支持するスプリング３７などの構造部を、刃ユニット１７相互間に設ける代わりに、刃ヘッドハウジング７の外カバー９内に設けている。
【００５９】
すなわち、図３中で左側の外カバー９の内壁９ａに、ローラ支持ケース５３を取り付け、ローラ支持ケース５３の、前記図１の空間１１ａに相当する空間５３ａ内に、ローラ支持ブラケット３３の基端側をスプリング３７とともに移動可能に挿入し、先端側を中心ボス部１１の先端に形成してある開口部５３ｂから外部に突出させている。５３ｃは空間５３ａの規制部となる底部である。
【００６０】
そして、ローラ３１の一部または全部を、外カバー９の外側の湾曲状に傾斜している部分に設けた開口部９ｂから前方に突出させる構造としている。
【００６１】
なお、本実施形態では、一対の刃ユニット１７の互いに対応する側にある係止突部２６は、共通の係止部５５に係止されることになるが、この係止部５５は、例えば図３中で紙面に直交する側の端部が刃ヘッドハウジング７に接続されて一体化しているものとする。
【００６２】
このような第３の実施形態においては、ローラ３１が、前記図１，図２の各実施形態における刃ユニット１７相互間から、一方の刃ユニット１７の外側に配置しただけであるので、これら各実施形態とほぼ同様の効果を得ることができる。
【００６３】
なお、本実施形態では、外観形状などの理由でローラ３１の先端面を外刃１５の先端面より後退させた状態としているが、ローラ３１の先端面を外刃１５の先端面よりも前方に突出させてもよく、またこれら各先端面を同一面上としてもよい。
【００６４】
また、前記図１，図２に示した各実施形態では、複数の刃ユニット１７の外刃１５を肌表面４１に接触させることによって、上記図３に示した第３の実施形態に比較して、この接触させた状態の刃ユニット１７相互間のローラ３１を肌表面４１に確実に接触させることができ、ローラ３１を有効に機能させることができる。
【図面の簡単な説明】
【００６５】
【図１】本発明の第１の実施形態を示す電気かみそり器の刃ヘッド側を断面として示す側面図である。
【図２】本発明の第２の実施形態を示す電気かみそり器の刃ヘッドの断面図である。
【図３】本発明の第３の実施形態を示す電気かみそり器の刃ヘッドの断面図である。
【符号の説明】
【００６６】
７  刃ヘッドハウジング（かみそり器本体）
１１ｃ，５３ｃ  空間の底部（規制部）
１３  内刃
１５  外刃
１７  刃ユニット
２０  ストッパ部（規制部）
２３，４７  スプリング（刃ユニット用弾性体）
３１  ローラ（回転体）
３７  スプリング（回転体用の弾性体）
３９  ヒゲ（体毛）
４１  肌表面
【図１】
2009232894.tif 000003
【図２】
2009232894.tif 000004
【図３】
2009232894.tif 000005